(57)【特許請求の範囲】
【請求項１】
ガス栓本体のプラグ部に接続されたソケットを取り外すためのソケット取外し機構であって、
前記プラグ部の基端部に回り止め状態に外嵌装着される支持軸と、
前記支持軸を支点として揺動すると共に装着状態にある前記ソケットの前記先端面を解除方向に押圧する押圧片を具備する揺動レバーと、
前記支持軸を介して前記押圧片と反対側の端部に連設され且つ前記揺動レバーの前記揺動を操作する操作部とからなるソケット取外し機構において、
前記ガス栓本体に一体的に固定板が具備され、
前記操作部は、
前記固定板に前記揺動レバーを介して抜け止め状態に係止される軸体と、
前記軸体に対して回り止め状態で且つ進退自在に外嵌されると共に前記揺動レバーを前記固定板側へ付勢する付勢手段が具備された雄ネジ筒部と、
前記雄ネジ筒部に外嵌螺合する雌ネジ筒部を具備するキャップ部とから構成されていることを特徴とするソケット取外し機構。
【請求項２】
請求項１に記載のソケット取外し機構において、前記揺動レバーは、前記プラグ部の両側に前記プラグ部の軸線に対して直角に配設された一対の前記押圧片と、これら押圧片を前記ガス栓本体の側方で連結させる連結片とから構成されており、
前記押圧片と前記連結片との境界部分に前記支持軸が位置するように配設され、
前記軸体の一端にはその軸部分よりも大径な係合部が形成されていると共に前記連結片には前記係合部が貫通可能な細長孔が形成されており、
前記細長孔に対応する前記固定板の所定位置には前記軸部分の直径に略一致する幅のスリット部が外方へ開放するように形成されているソケット取外し機構。
【請求項３】
請求項２に記載のソケット取外し機構において、前記軸体の他端には、前記軸部分よりも大径の頭部が形成されていると共に、前記付勢手段は、前記頭部と前記雄ネジ筒部との間に設けられたコイルバネとし、
前記細長孔の幅は前記雄ネジ筒部の底部の外径よりも小さく設定されていると共に、前記雄ネジ筒部の前記底部の相互に対向する各位置には前記細長孔に嵌合可能な一対の係合突起が突設されているソケット取外し機構。
【請求項４】
壁又は床に埋め込まれ且つソケットを差し込む開口部を具備するケーシングと、
前記ケーシング内に収容され且つ前記開口部から差し込まれる前記ソケットが接続されるプラグ部を具備するガス栓本体と、
装着された前記ソケットを取り外すためのソケット取外し機構とを具備する埋設式ガス栓において、
前記ソケット取外し機構は、
前記プラグ部の基端部に回り止め状態に外嵌装着される支持軸と、
前記支持軸を支点に揺動すると共に装着状態にある前記ソケットの進退筒の先端を解除方向に押圧する押圧片がその一端に設けられている揺動レバーと、
前記揺動レバーの他端に連設され且つ前記揺動レバーの前記揺動を操作する操作部とからなり、
前記操作部は、
前記ケーシングの底面に添って設けられた固定板に前記揺動レバーを介して抜け止め状態に係止される軸体と、
前記軸体に外嵌すると共に前記揺動レバーと係合することにより前記軸体に対して回り止め状態に固定され且つ、前記揺動レバーを前記固定板側へ付勢する付勢手段を具備させた雄ネジ筒部と、
前記ケーシングの開放部側から前記軸体に外嵌すると共に前記雄ネジ筒部に螺合する雌ネジ筒部を具備するキャップ部とから構成されていることを特徴とする埋設式ガス栓。
【請求項５】
請求項４に記載の埋設式ガス栓において、前記固定板は前記ガス栓本体の背面に添設固定されており、前記固定板から前記ケーシングの開放部側へ突出片が突出するとともにその突出片の先端に前記開放部を閉塞させる化粧板がネジ止めされ、前記化粧板には、前記プラグ部の接続端及び前記キャップ部がそれぞれ露出する窓部と、これら窓部を開閉する蓋体とが設けられている埋設式ガス栓。
【発明の詳細な説明】
【０００１】
【発明の属する技術分野】
この発明は、壁面や床面に埋設される形式のガス栓に関し、特に、プラグ部に接続されるソケットを解除する為のソケット取外し機構及びこれを備えた埋設式ガス栓に関するものである。
【０００２】
【従来の技術】
埋設式ガス栓として、例えば、壁面埋設式のものでは、図７に示すようなものが知られている。このものは、壁板（５）に埋込み固定された矩形箱状のケーシング（１）と、このケーシング（１）内に設けられたガス栓本体（２）と、前記ケーシング（１）に設けられ且つガス栓本体（２）に対してソケット（３）を着脱自在とするソケット挿入用の開口部（１０）と、ガス栓本体（２）に装着されたソケット（３）を解除する為のソケット取外し機構（３０）と、前記開口部（１０）を開閉する蓋体を具備し且つ前記壁板（５）に添設される化粧板（５０）とから構成されているもので、前記ソケット取外し機構（３０）は、ケーシング（１）内の所定位置に設けられた支持突起（３１）に対して揺動自在に設けられたレバー部材（３２）と、前記レバー部材（３２）の一端（３２ａ）に設けられる操作部（３３）とから構成されている。
【０００３】
前記ソケット（３）がプラグ部（２０）に差し込まれてロックされると、これと同時に、前記レバー部材（３２）の他端近傍に設けられた出力部（３２ｂ）がソケット（３）の先端によって奥へ押され、それに伴って前記一端（３２ａ）が開口部（１０）側へ揺動し、これにより、操作部（３３）が手前に突出する態様となる。この状態から、前記操作部（３３）を押込むと、レバー部材（３２）の前記一端（３２ａ）が奥へ押されることにより、レバー部材（３２）が再度揺動し、前記レバー部材（３２）の前記出力部（３２ｂ）がソケット（３）の先端の進退筒（３ａ）を押圧する。これにより、ソケット（３）のガス栓本体（２）に対するロック機構は解除され、ソケット（３）はプラグ部（２０）から取り外されることとなる。
【０００４】
操作部（３３）は、図８に示すように、頭部（３４）を具備させた軸体（３５）に、昇降筒体（３６）を昇降自在に外嵌させてなるもので、前記頭部（３４）と昇降筒体（３６）との間に付勢力の弱い圧縮バネ（３７）を前記軸体（３５）の軸部に外嵌するようにして配設させている。これにより、前記昇降筒体（３６）は軸体（３５）に対して下方（図面では右側）に付勢されることとなる。又、前記昇降筒体（３６）の開放端にはキャップ部（３８）を、前記頭部（３４）側から螺合外嵌させている。
【０００５】
尚、前記軸体（３５）は、レバー部材（３２）の一端（３２ａ）に形成されたスリット（Ｓ）を介して、前記ガス栓本体（２）にガスを供給するヘッダ部（３９）にネジ止めされて固定されている。
【０００６】
この従来の形式のソケット取外し機構（３０）では、前記圧縮バネ（３７）の付勢力により降下させられている昇降筒体（３６）によって、前記レバー部材（３２）の一端は常時ヘッダ部（３９）側へ押し付けられており、他端は、ガス栓本体（２）のプラグ部（２０）の先端近傍に位置するように設定されている。よって、ソケット（３）を開口部（１０）内に差し込むと、前記他端が奥へ押し付けられ、操作部（３３）が前方へ突出するようにレバー部材（３２）が揺動することとなる。そして、この突出している操作部（３３）を奥へ押し込めば、上記したように、ソケット（３）のロック機構を解除することができる。このように、従来の操作部（３３）を具備させたソケット解除機構（３０）では、ソケット（３）の取り外しがワンタッチででき、使い勝手が良い上に、操作部（３３）はガス栓本体（２）に連続するヘッダ部（３９）に取付けられているから、埋設式ガス栓全体の大きさを小型化することができる。
【０００７】
【発明が解決しようとする課題】
しかしながら、この従来の埋設式ガス栓のソケット取外し機構（３０）では、操作部（３３）を取付ける際に、軸体（３５）をヘッダ部（３９）に捻じ込まなければならないため取付け作業がやりにくいと言う問題がある。
【０００８】
又、予め壁面等に埋設されている既存のケーシングにガス栓を新たに収容させる場合、ケーシングの深さによっては、ソケットの非装着状態における操作部（３３）の突出距離が足らず、ケーシングの開口から奥まったところに操作部（３３）のキャップ部（３８）を位置させなければならないため、使い勝手が悪いという問題もある。このような場合、キャップ部（３８）の昇降筒体（３６）に対する螺合度合いを緩めることにより、キャップ部（３８）を前記昇降筒体（３６）に対して進出させることができ、こうすることで、操作部（３３）の突出長さを多少延長させることができる。しかしながら、従来の操作部（３３）の構造では、キャップ部（３８）と昇降筒体（３６）との螺合を緩める際に、キャップ部（３８）と昇降筒体（３６）とが供回りしてしまい、キャップ部（３８）のみを昇降筒体（３６）に対して回動させることが困難であった。
【０００９】
第１番目の発明は、『ガス栓本体のプラグ部に接続されたソケットを取り外すためのソケット取外し機構であって、
前記プラグ部の基端部に回り止め状態に外嵌装着される支持軸と、
前記支持軸を支点として揺動すると共に装着状態にある前記ソケットの前記先端面を解除方向に押圧する押圧片を具備する揺動レバーと、
前記支持軸を介して前記押圧片と反対側の端部に連設され且つ前記揺動レバーの前記揺動を操作する操作部とからなるソケット取外し機構』において、操作部の取付け作業を容易に行えるようにすると共に、前記操作部の突出長さを容易に調整できるようにすることを課題とする。
【００１０】
【課題を解決するための手段】
上記課題を解決する為の請求項１の発明の手段は、『前記ガス栓本体に一体的に固定板が具備され、
前記操作部は、前記固定板に前記揺動レバーを介して抜け止め状態に係止される軸体と、前記軸体に対して回り止め状態で且つ進退自在に外嵌されると共に前記揺動レバーを前記固定板側へ付勢する付勢手段が具備された雄ネジ筒部と、前記雄ネジ筒部に外嵌螺合する雌ネジ筒部を具備するキャップ部とから構成されていること』ことである。
【００１１】
上記手段によれば、前記揺動レバーは、支持軸を支点として、両端が交互に進退方向に揺動する構成となっており、この揺動を操作する操作部は、ガス栓本体に設けた固定板に、前記揺動レバーの一端を介して軸体を係止させるだけで取付けられている。この取付け状態において、前記軸体に具備させた雄ネジ筒部と前記固定板との間に揺動レバーが位置し、ソケット非装着状態においては、前記揺動レバーの前記一端は、前記付勢手段を具備させた前記雄ネジ筒部によって前記固定板側へ付勢されている。このとき、反対側に位置する押圧片は手前側に進出させられている。ソケットの装着により、前記押圧片が奥へ押され、前記揺動レバーは前記付勢手段の付勢力を抗して揺動し、前記一端によって前記雄ネジ筒部は手前側に押し上げられることとなる。このとき、固定板及びこれに抜け止め状態に係止されている軸体の係止端の位置は固定されているが、軸体は前記雄ネジ筒部に対して進退自在であるから、前記雄ネジ筒部が揺動レバーによって押されることにより、雄ネジ筒部が前記軸体に対して進出し、その進出分だけキャップ部が手前側に突出することとなる。又、キャップ部は、それに具備させた雌ネジ筒部によって雄ネジ筒部に螺合されているから、雌ネジ筒部の螺合度合いによって前記雄ネジ筒部から突出させるキャップ部の長さを変えることができる。このとき、前記雄ネジ筒部は軸体に対して回り止め状態に外嵌させられているため、前記キャップ部の雌ネジ筒部を雄ネジ筒部に対して緩める際に、雄ネジ筒部が前記キャップ部と共回りすることがない。
【００１２】
＊２項
１項において、『前記揺動レバーは、前記プラグ部の両側に前記プラグ部の軸線に対して直角に配設された一対の前記押圧片と、これら押圧片を前記ガス栓本体の側方で連結させる連結片とから構成されており、
前記押圧片と前記連結片との境界部分に前記支持軸が位置するように配設され、
前記軸体の一端にはその軸部分よりも大径な係合部が形成されていると共に前記連結片には前記係合部が貫通可能な細長孔が形成されており、
前記細長孔に対応する前記固定板の所定位置には前記軸部分の直径に略一致する幅のスリット部が外方へ開放するように形成されている』ものでは、揺動片は一対の押圧片とこれらを連結させる一つの連結片とから略Ｙ字状に構成されており、これらの境界部分に揺動支点が設けられている。軸体は、前記連結片に形成されている細長孔を貫通したあと、固定板に設けられたスリット部に外方開放端から嵌め込まれることにより、前記スリット部に対して抜け止め状態に係合されることとなる。
【００１３】
＊３項
上記２項において、『前記軸体の他端には、前記軸部分よりも大径の頭部が形成されていると共に、前記付勢手段は、前記頭部と前記雄ネジ筒部との間に設けられたコイルバネとし、
前記細長孔の幅は前記雄ネジ筒部の底部の外径よりも小さく設定されていると共に、前記雄ネジ筒部の前記底部の相互に対向する各位置には前記細長孔に嵌合可能な一対の係合突起が突設されている』ものでは、雄ネジ筒部は、コイルバネの付勢力によって固定板側に付勢されていると共に、その底部に設けた係合突起を揺動レバーに形成された細長孔に嵌め込むことにより、周方向の回動が阻止された状態となっている。
【００１４】
＊４項
この発明は、『壁又は床に埋め込まれ且つソケットを差し込む開口部を具備するケーシングと、
前記ケーシング内に収容され且つ前記開口部から差し込まれる前記ソケットが接続されるプラグ部を具備するガス栓本体と、
装着された前記ソケットを取り外すためのソケット取外し機構とを具備する埋設式ガス栓』に関するものであり、上記課題と同様な課題を解決するために講じた第２番目の発明の手段は、
『前記ソケット取外し機構は、
前記プラグ部の基端部に回り止め状態に外嵌装着される支持軸と、
前記支持軸を支点に揺動すると共に装着状態にある前記ソケットの進退筒の先端を解除方向に押圧する押圧片がその一端に設けられている揺動レバーと、
前記揺動レバーの他端に連設され且つ前記揺動レバーの前記揺動を操作する操作部とからなり、
前記操作部は、
前記ケーシングの底面に添って設けられた固定板に前記揺動レバーを介して抜け止め状態に係止される軸体と、
前記軸体に外嵌すると共に前記揺動レバーと係合することにより前記軸体に対して回り止め状態に固定され且つ、前記揺動レバーを前記固定板側へ付勢する付勢手段を具備する雄ネジ筒部と、
前記ケーシングの開放部側から前記軸体に外嵌すると共に前記雄ネジ筒部に螺合する雌ネジ部筒部を具備するキャップ部とから構成されている』ことである。
【００１５】
このものでは、壁面又は床面に埋設されたケーシング内に、上記したソケット取外し機構を具備させたガス栓を収容させた埋設式ガス栓を提供することができることとなり、上記した作用と同様の作用が生じることとなる。
【００１６】
＊５項
上記４項において、『前記固定板は前記ガス栓本体の背面に添設固定されており、前記固定板から前記ケーシングの開放部側へ突出片が突出するとともにその突出片の先端に前記開放部を閉塞させる化粧板がネジ止めされ、前記化粧板には、前記プラグ部の接続端及び前記キャップ部がそれぞれ露出する窓部と、これら窓部を開閉する蓋体とが設けられている』ものでは、化粧板を固定板に設けた突出片に固定されることにより、ケーシングの開口部は閉塞されることとなり、蓋体を開放することによって、前記化粧板に設けられている窓部から、プラグ部及び操作部のキャップ部が露出することとなる。尚、操作部は、上記した構成であるから、前記軸体は前記固定板及び揺動レバーに固定されていないため、前記固定板との係止部を中心に首振り可能となっている。従って、壁又は床に化粧板を添設させたときに、化粧板の前記窓部の位置が前記キャップ部の突出位置と少々ずれている場合であっても、前記軸部を揺動させて前記キャップ部の位置を前記窓部の開口位置に合うように調整することができる。
【００１７】
【発明の効果】
この発明では、操作部の軸体をネジ止めせずに、係止させるだけで、前記操作部を取付けられるようにしたから、操作部の取付けが容易なソケット取外し機構、及び、それを具備させた埋設式ガス栓を提供することができる。これにより、ソケット取外し機構又は埋設式ガス栓の取付け時における作業性が向上する。
【００１８】
又、回動阻止状態に装着されている雄ネジ筒部に対して、キャップ部のみを回動させて、螺合度合いを調整することができるから、既存のケーシングに合うように、操作部の突出長さを調整したい場合に、調整作業が容易となる。
【００１９】
さらに、前記操作部は係止部分を中心に首振り自在であるから、操作部の突出長さに加えて、化粧板に設けられる窓部の開放位置に合わせて突出位置も調整することができる。
【００２０】
【発明の実施の形態】
以下、本願発明の実施の形態を、図面に基づいて説明する。
この実施の形態の埋設式ガス栓は、図１に示すように、壁の室内側の壁板（５）に設けた矩形開口（５１）を介して壁内に埋め込まれたケーシング（１）と、このケーシング（１）に収容固定されたガス栓本体（２）とを具備する構成である。
【００２１】
ケーシング（１）は、図１及び図２に示すように、前記壁板（５）の開口（５１）内に収容可能な大きさの矩形の枠板（１ａ）と、この枠板（１ａ）の室内側周縁からケーシング（１）内に向かって延長させたフランジ片（１ｂ）と、底板（１ｃ）とから、室内側に開放する開口部（１０）を具備する箱状に構成されており、前記枠板（１ａ）の所定位置には、ケーシング（１）内に収容される前記ガス栓本体（２）の配管接続部（２５）を突出させるための開口が形成されている。
【００２２】
このケーシング（１）内に収容されるガス栓本体（２）は、図３に示すようなソケット（３）が接続される円筒形状のプラグ部（２１）と、このプラグ部（２１）の基端部に連続し且つプラグ部（２１）より大径の円筒形状のベース部（２２）と、この軸線に対して直角となるように接続された筒部（２３）とからなり、プラグ部（２１）及びベース部（２２）には、ソケット（３）の着脱により開閉される栓体が内蔵されている。
【００２３】
そして、ベース部（２２）の胴部基端部には、その円周方向に環状溝（２４）が設けられている。この環状溝（２４）に後述の支持軸（１１）の主体部（１１ｃ）が収容されることとなる。
【００２４】
このガス栓本体（２）の背面には、固定板（４）が添設固定されている。前記固定板（４）の周縁の所定位置からは複数の突出片（４ａ）（４ｂ）（４ｃ）が室内側へ突出しており、最も突出している突出片（４ａ）は前記ケーシング（１）のフランジ片（１ｂ）よりも前方へ位置させると共に、前記フランジ片（１ｂ）にネジ止めされる。これにより、ガス栓本体（２）は、ケーシング（１）内において安定することとなる。
【００２５】
又、他の突出片（４ｂ）（４ｃ）には、ネジ孔が形成されているものとする。
ガス栓本体（２）には、プラグ部（２１）に装着された状態のソケット（３）のロックを解除してこれを取外す為のソケット取外し機構が装備されている。
以下、ソケット取外し機構について説明する。
【００２６】
この実施の形態におけるソケット取外し機構は、図２に示すように、前記環状溝（２４）に嵌め込まれて回り止め状態に固定されている略Ｃ字状の主体部（１１ｃ）とその両端からそれぞれ外方へ一直線上に延長させた一対の軸部（１１ａ）（１１ｂ）とからなる金属線材製の支持軸（１１）と、一対の押圧片（１２ａ）（１２ｂ）とこれら押圧片（１２ａ）（１２ｂ）の一端を連結する連結片（１２ｃ）とから構成されていると共に前記押圧片（１２ａ）（１２ｂ）の基端部近傍にて前記軸部（１１ａ）（１１ｂ）に回動自在に装着されている金属板製の揺動レバー（１２）と、前記揺動レバー（１２）の連結片（１２ｃ）を介して前記固定板（４）に抜け止め状態に連結され且つ前記揺動レバー（１２）の揺動を操作する操作部（６）とから構成されている。
【００２７】
前記揺動レバー（１２）は、支持軸（１１）の軸部（１１ａ）（１１ｂ）を揺動支点として、ケーシング（１）の深さ方向に揺動自在となっており、図３に示すように、プラグ部（２１）にソケット（３）を装着させることにより、前記揺動レバー（１２）は揺動し、前記ソケット（３）の先端の進退筒（３ａ）によって前記押圧片（１２ａ）（１２ｂ）が奥へ押し下げられると同時に、前記揺動レバー（１２）の連結片（１２ｃ）が押し上げられ、操作部（６）が前方へ突出する態様となる。
【００２８】
尚、前記連結片（１２ｃ）には、後述する操作部（６）の軸部（６３）を貫通させる貫通孔（１３）が、揺動レバー（１２）の長手方向に沿って形成されている。貫通孔（１３）は、図２に示すように、中央の丸孔部の上下方に幅狭の帯状孔部が延長形成された形状を呈しており、全体に細長孔を構成しているものとする。
【００２９】
操作部（６）は、図１に示すように、ガス栓本体（２）の上方に位置する固定板（４）の上辺の中央域から前方へ突出させた支持台（４１）に抜け止め状態に取付けられるものであって、前記貫通孔（１３）にちょうど対応する支持台（４１）の中央部分には前記操作部（６）の軸部（６３）の直径よりもわずかに大きな幅のスリット（４０）が上方へ開放するように形成されている。
【００３０】
操作部（６）の軸部（６３）の奥側の一端には、軸部（６３）よりも大径に形成された係止端部（６１）が設けられている。係止端部（６１）の直径は前記貫通孔（１３）の丸孔部の直径より小さく且つ固定板（４）のスリット（４０）の幅よりも大きく設定されていることから、前記係止端部（６１）を貫通孔（１３）の前記丸孔部に貫通させると共に、スリット（４０）の前記上方開放端から軸部（６３）をスライドさせて係止端部（６１）がスリット（４０）の奥に位置するように嵌め込むと、軸部（６３）は固定板（４）の支持台（４１）に抜け止め状態に取付けられることとなる。
【００３１】
又、軸部（６３）の他端には、軸部（６３）よりも大径な頭部（６２）部が設けられており、この頭部（６２）を囲むように雄ネジ筒部（６４）が軸部（６３）に外嵌されている。雄ネジ筒部（６４）の内周面の所定位置には、軸部（６３）に略接触状態で摺動可能な段部（６８）が突設されており、前記段部（６８）と前記頭部（６２）との間に、コイルバネ（６６）が軸部（６３）を巻回するように設けられている。このコイルバネ（６６）によって、前記揺動レバー（１２）の連結片（１２ｃ）は支持台（４１）側に付勢されることとなる。
【００３２】
尚、雄ネジ筒部（６４）の底面の外径は、前記貫通孔（１３）の丸孔部の直径よりも大きく形成されていると共に前記雄ネジ筒部（６４）の底面の相互に対向する位置には、図４に示すように、前記貫通孔（１３）の帯状孔部に嵌り込んで係合する一対の係合突起（６７）が形成されている。これにより、雄ネジ筒部（６４）は、揺動レバー（１２）に対して回り止め状態に固定された態様となる。
【００３３】
雄ネジ筒部（６４）には、前記頭部（６２）側からキャップ部（６５）が外嵌螺合させられて、操作部（６）が完成する。
上記したように、操作部（６）は、一端に設けた係止端部（６１）をスリット（４０）に、その開放端側から差し込むだけで、ガス栓本体（２）に一体的に設けた固定板（４）の支持台（４１）に抜け止め状態に取付けることができるから、ケーシング（１）内における操作部（６）の取付け作業が容易となる。
【００３４】
尚、図１に示したものは、プラグ部（２１）にソケット（３）を装着させていない状態であり、図３は、ソケット（３）を装着させた状態を示している。
ソケット（３）を装着させるには、ソケット（３）  を開口部（１０）からケーシング（１）内に押し込み、ソケット（３）をプラグ部（２１）に外嵌させる。すると、ソケット（３）がプラグ部（２１）に対して抜止め状態に係合されたロック状態となる。ソケット（３）の装着によって、揺動レバー（１２）の押圧片（１２ａ）（１２ｂ）は、図３に示すように、ソケット（３）の進退筒（３ａ）によって奥側へ押され、これに伴って、連結片（１２ｃ）が手前側に押し上げられる。これにより、操作部（６）のキャップ部（６５）が前方へ突出する。
【００３５】
プラグ部（２１）に装着されたソケット（３）  を取外すには、前記キャップ部（６５）をケーシング（１）の内方に向って押圧操作する。
雄ネジ筒部（６４）の底面は、前記貫通孔（１３）の丸孔部の直径よりも大きく形成されていることから、キャップ部（６５）が内方に押されることにより、揺動レバー（１２）の連結片（１２ｃ）が雄ネジ筒部（６４）によって奥へ押されることとなり、これにより、揺動レバー（１２）が揺動し、連結片（１２ｃ）と反対側にある押圧片（１２ａ）（１２ｂ）がソケット（３）の先端にある進退筒（３ａ）を解除方向に押すこととなる。これにより、ソケット（３）の前記ロック状態が解除される。
【００３６】
ソケット（３）が取り外された後は、コイルバネ（６６）の付勢力によって、連結片（１２ｃ）が支持台（４１）側に付勢された図１の状態に戻る。
尚、この実施の形態のものでは、図５に示すように、ケーシング（１）の開口部（１０）を閉塞するための化粧板（５０）が壁板（５）に添設されるものとする。
【００３７】
この化粧板（５０）の中央部の、前記プラグ部（２１）と操作部（６）とを包囲する範囲には、蓋部（５５）の厚み分だけ奥へ凹ませた段部（５２）が形成されており、前記段部（５２）のうち、前記操作部（６）に対応する部分には、第１窓部（５３）が形成されていると共に、プラグ部（２１）が対応する部分には、第２窓部（５４）が形成されているものとする。
【００３８】
又、段部（５２）における、前記固定板（４）の突出片（４ｂ）（４ｃ）のネジ孔に対応する箇所には、それぞれ透孔が形成されており、この透孔にボルト（５６）（５７）をそれぞれ差し込むと共に、前記突出片（４ｂ）（４ｃ）に設けた前記ネジ孔に捻じ込む。これにより、化粧板（５０）は、壁板（５）を挟んだ状態で固定板（４）に固定されることとなる。
【００３９】
尚、操作部（６）は、軸部（６３）が揺動レバー（１２）の貫通孔（１３）及び固定板（４）のスリット（４０）に差し込まれているだけで何ら固定されていないから、スリット（４０）に抜け止め状態に係止している軸部（６３）は、係止端部（６１）のスリット（４０）との係止部を中心に、首振り可能である。よって、壁板（５）に化粧板（５０）を添設固定させた状態において、第１窓（５３）の開口位置が操作部（６）の突出位置とややずれている場合、操作部（６）を係止端部（６１）を中心に揺動させれば、キャップ部（６５）が第１窓（５３）から露出するように操作部（６）の姿勢を調整することができる。
【００４０】
又、蓋部（５５）は、段部（５２）の一側部に回動自在にネジ止めされているものとし、前記一側部と反対側に位置する他方の側縁には、凹部（５８）が形成されている。この凹部（５８）に指を差し込んで、閉塞状態にある蓋部（５５）の側面を前方へ持ち上げることにより、前記蓋部（５５）を化粧板（５０）の頂面に対して前方へ立ち上がるように回動させることができる。これにより、段部（５２）は開放することとなる。
【００４１】
本発明の実施の形態のガス栓を、古い形式のガス栓と交換する際に、既存のケーシング（１）をそのまま利用することがある。そのとき、既存のケーシング（１）の枠板（１ａ）が深い場合、操作部（６）が壁板（５）の開口（５１）から奥まって位置してしまうこととなるため、ソケット脱着操作の際の使い勝手が悪くなる。
【００４２】
このような場合、キャップ部（６５）の雄ネジ筒部（６４）に対する螺合を緩めることにより、キャップ部（６５）を、図６に示すように、前方へ所定長さ突出させることができる。このように、ケーシング（１）の枠体（１ａ）の深さに応じて、キャップ部（６５）の突出長さを調整することができる。
【００４３】
キャップ部（６５）の雄ネジ筒部（６４）への螺合を緩める際には、キャップ部（６５）を締付け方向とは反対の方向に回動させるが、このとき、雄ネジ筒部（６４）は上記したように、低部に設けられた係合突起（６７）が貫通孔（１３）の帯状孔部に嵌め込まれて回り止め状態に係合されていることから、キャップ部（６５）を回動させる際に雄ネジ筒部（６４）が供回りすることがない。このように、キャップ部（６５）のみを容易に回動させることができるから、操作部（６）の突出長さの調整作業が容易となる。
【図面の簡単な説明】
【図１】本願発明の実施の形態の埋設式ガス栓の部分縦断面図。
【図２】本願発明の実施の形態の埋設式ガス栓の正面図。
【図３】本願発明の実施の形態の埋設式ガス栓にソケットを装着させた状態を示す部分縦断面図。
【図４】本願発明の実施の形態のソケット取外し機構の操作部の側面図。
【図５】本願発明の実施の形態の埋設式ガス栓に化粧板を添設させた状態の正面図。
【図６】図１の状態から操作部の突出長さが長くなるように調節した状態を示す部分縦断面図。
【図７】従来の埋設式ガス栓におけるソケット取外し機構の説明図。
【図８】従来の埋設式ガス栓におけるソケット取外し機構の要部拡大断面図。
【符号の説明】
（１１）・・・・支持軸
（１２）・・・・揺動レバー
（１２ａ）（１２ｂ）・・・・押圧片
（２）  ・・・・ガス栓本体
（２１）・・・・プラグ部
（３）  ・・・・ソケット
（４）  ・・・・固定板
（６）  ・・・・操作部
（６３）・・・・軸体
（６４）・・・・雄ネジ筒部
（６５）・・・・キャップ部
（６６）・・・・付勢手段
【図１】
0003615168.tif 000002
【図２】
0003615168.tif 000003
【図３】
0003615168.tif 000004
【図４】
0003615168.tif 000005
【図５】
0003615168.tif 000006
【図６】
0003615168.tif 000007
【図７】
0003615168.tif 000008
【図８】
0003615168.tif 000009